【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
患者に対して治療を行う医療流体治療機械であって、少なくとも１つの混合ポンプを含み、前記少なくとも１つの混合ポンプにより精製水と濃縮物とを混合することで医療流体を生成するようプログラムされた、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械の処理部およびメモリと前記水処理装置の処理部およびメモリとの間の双方向通信を提供する有線又は無線のデータ接続部と、
を備える医療流体治療システムであって、
前記医療流体治療機械が、前記データ接続部を介して前記水処理装置にデータを伝送して前記水処理装置を制御し、前記データが、前記ユーザインタフェースを介して受信した少なくとも１つの前記オペレータ入力に基づいて提供される、
医療流体治療システム。
【請求項２】
前記水処理装置が、（ｉ）状態情報、（ｉｉ）構成要素寿命情報、（ｉｉｉ）自己検査結果、（ｉｖ）警告情報、又は（ｖ）バージョン情報のうちの少なくとも１つを前記医療流体治療機械に伝送する、請求項１に記載の医療流体治療システム。
【請求項３】
前記ユーザインタフェースが、（ｉ）前記状態情報、（ｉｉ）前記構成要素寿命情報、（ｉｉｉ）前記自己検査結果、（ｉｖ）前記警告情報、又は（ｖ）前記バージョン情報のうちの少なくとも１つを表示する、請求項２に記載の医療流体治療システム。
【請求項４】
前記医療流体治療機械が、（ｉ）状態変更要求、（ｉｉ）状況問合せ、（ｉｉｉ）流量変更要求、（ｉｖ）ソフトウェアアップグレード若しくはダウングレード、又は（ｖ）ファイル転送のうちの少なくとも１つを前記水処理装置に伝送する、請求項１に記載の医療流体治療システム。
【請求項５】
前記ユーザインタフェースが、（ｉ）前記状態変更要求、（ｉｉ）前記状況問合せ、（ｉｉｉ）前記流量変更要求、（ｉｖ）前記ソフトウェアアップグレード若しくはダウングレード、又は（ｖ）前記ファイル転送のうちの少なくとも１つを表示する、請求項４に記載の医療流体治療システム。
【請求項６】
伝送データにつながる前記少なくとも１つのオペレータ入力が、水処理装置のパラメータに関する、請求項１に記載の医療流体治療システム。
【請求項７】
伝送データにつながる前記少なくとも１つのオペレータ入力が、医療流体治療機械のパラメータに関し、前記伝送データが、前記医療流体治療機械のパラメータの変更の自動的に得られる結果に関する、請求項１に記載の医療流体治療システム。
【請求項８】
患者に対して治療を行う医療流体治療機械であって、少なくとも１つの混合ポンプを含み、前記少なくとも１つの混合ポンプにより精製水と濃縮物とを混合することで医療流体を生成するよう構成された、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械との間でデータフロー通信をしているサーバと、
前記医療流体治療機械と前記水処理装置との間の双方向通信を提供する有線又は無線のデータ接続部と、
を備える医療流体治療システムであって、
前記医療流体治療機械が、前記データ接続部を介して前記水処理装置にデータを伝送し、前記データが、前記サーバから前記医療流体治療機械に送信される治療処方に基づくものである、
医療流体治療システム。
【請求項９】
伝送データが、前記水処理装置を制御するためのものである、請求項８に記載の医療流体治療システム。
【請求項１０】
前記治療処方が、前記医療流体治療機械から前記水処理装置に伝送される前記データを指定する、請求項８に記載の医療流体治療システム。
【請求項１１】
前記治療処方が、前記医療流体治療機械の動作パラメータを指定し、伝送データが、前記指定された動作パラメータに基づく、請求項８に記載の医療流体治療システム。
【請求項１２】
前記医療流体治療機械が、前記指定された動作パラメータに基づいて前記伝送データを決定する、請求項１１に記載の医療流体治療システム。
【請求項１３】
前記水処理装置が、前記データを使用して、前記水処理装置の対応する動作パラメータを決定する、請求項１１に記載の医療流体治療システム。
【請求項１４】
前記サーバが、前記医療流体治療機械にソフトウェアアップグレードを送信するように構成され、前記ソフトウェアアップグレードが、水処理装置向けのものである場合には、前記医療流体治療機械によって前記水処理装置に転送される、請求項８に記載の医療流体治療システム。
【請求項１５】
前記ソフトウェアアップグレードが、前記水処理装置に自動的にインストールされるか、又はユーザが前記ユーザインタフェースを介して受け入れたときにインストールされる、請求項１４に記載の医療流体治療システム。
【請求項１６】
前記サーバが、サービスコンピュータとデータ通信しており、前記サービスコンピュータが、サービス員が前記医療流体治療機械との前記データ接続部を介して前記水処理装置にアクセスして少なくとも１つのサービス手順を実行することを可能にする、請求項８に記載の医療流体治療システム。
【請求項１７】
始動時に、前記医療流体治療機械が、前記水処理装置が休眠モードであるかどうかを判定し、休眠モードである場合には、前記水処理装置を含まない始動手順を実行するように構成される、請求項８に記載の医療流体治療システム。
【請求項１８】
ユーザが前記ユーザインタフェースを介して前記医療流体治療機械の少なくとも１つの自己検査及び前記水処理装置の少なくとも１つの自己検査を実行できるように構成された、請求項８に記載の医療流体治療システム。
【請求項１９】
患者に対して医療流体治療を行う医療流体治療機械であって、少なくとも１つの混合ポンプを含み、前記少なくとも１つの混合ポンプにより精製水と濃縮物とを混合することで医療流体を生成するよう構成された、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械との間でデータフロー通信をしているサーバと、
前記医療流体治療機械と前記水処理装置との間の双方向通信を提供する有線又は無線のデータ接続部と、
を備える医療流体治療システムであって、
前記水処理装置が、前記データ接続部を介して、前記医療流体治療機械にデータを伝送するように構成され、前記医療流体治療機械が、前記データを前記サーバに転送する、
医療流体治療システム。
【請求項２０】
伝送データが、処置ログデータを含む、請求項１９に記載の医療流体治療システム。
【請求項２１】
伝送データが、構成要素使用データ又は構成要素交換データを含む、請求項１９に記載の医療流体治療システム。
【請求項２２】
患者に対して治療を行う医療流体治療機械であって、少なくとも１つの混合ポンプを含み、前記少なくとも１つの混合ポンプにより精製水と濃縮物とを混合することで医療流体を生成するよう構成された、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械と前記水処理装置との間の双方向通信を提供する有線又は無線のデータ接続部と、
を備える医療流体治療システムであって、
前記水処理装置が、前記データ接続部を介して、前記医療流体治療機械に状況情報を伝送するように構成された、
医療流体治療システム。
【請求項２３】
前記状況情報は、水処理装置の構成要素の導入状況情報を含む、請求項２２に記載の医療流体治療システム。
【請求項２４】
前記状況情報は、水処理装置が精製水を生成する準備が整った旨の情報を含む、請求項２２に記載の医療流体治療システム。
【請求項２５】
患者に対して治療を行う医療流体治療機械であって、少なくとも１つの混合ポンプを含み、前記少なくとも１つの混合ポンプにより精製水と濃縮物とを混合することで医療流体を生成するよう構成された、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械と前記水処理装置との間の双方向通信を提供する有線又は無線のデータ接続部と、
を備える医療流体治療システムであって、
前記医療流体治療機械および前記水処理装置は、それぞれの始動手順の実行中に相互に通信するために前記データ接続部を用いるように構成された、
医療流体治療システム。
【請求項２６】
前記医療流体治療機械および前記水処理装置は、
前記医療流体治療機械が前記水処理装置から精製水をいつ入手できるかを知るために、それぞれの始動手順の実行中にデータ接続部経由で相互に通信するように構成された、請求項２５に記載の医療流体治療システム。
【請求項２７】
患者に対して治療を行う医療流体治療機械であって、少なくとも１つの混合ポンプを含み、前記少なくとも１つの混合ポンプにより精製水と濃縮物とを混合することで医療流体を生成するよう構成された、当該医療流体治療機械と、
前記医療流体治療機械に動作可能に接続された、オペレータ入力を受信するユーザインタフェースと、
前記医療流体治療機械と流体連通し前記医療流体治療機械に精製水を提供する水処理装置と、
前記医療流体治療機械と前記水処理装置との間の双方向通信を提供する有線又は無線のデータ接続部と、
を備える医療流体治療システムであって、
前記医療流体治療機械は、前記水処理装置を、
(i)精製水を生成するために起動された状態と(ii)休眠状態、のうち少なくとも１つの状態にするように構成された、
医療流体治療システム。
【請求項２８】
前記水処理装置は、前記データ接続部を用いて、前記医療流体治療機械に、休眠状態の状況情報を送信するように構成された、請求項２７に記載の医療流体治療システム。